(57)【要約】【課題】コンテンツの各区間を区間ごとの視聴に対する重要度に応じて記録すること。【解決手段】受信部１０１によって任意のコンテンツを受信し、取得部１０３によってコンテンツ内の特定情報を取得する。そして、分割部１０４によって、受信されたコンテンツを任意の区間に分割する。さらに、検出部１０５によって、特定情報に基づいて、分割された区間ごとの視聴に対する重要度を検出する。そして、決定部１０６によって、検出された重要度に応じて、区間ごとのビットレートを決定する。つぎに、記録制御部１０７によって、決定されたビットレートで可変して各区間を記録媒体１０２に記録する。【選択図】図１
2008167143.tif 000002
【特許請求の範囲】
【請求項１】
記録媒体にコンテンツを記録する記録装置において、
所定のコンテンツを受信する受信手段と、
前記受信手段によって受信されたコンテンツの任意の区間ごとの視聴に対する重要度に応じて、当該区間ごとのビットレートを決定する決定手段と、
前記決定手段によって決定されたビットレートで可変して各区間を前記記録媒体に記録する記録制御手段と、
を備えることを特徴とする記録装置。
【請求項２】
前記受信手段によって受信されたコンテンツ内の特定情報を取得する取得手段と、
前記取得手段によって取得された前記特定情報に基づいて、前記コンテンツの任意の区間ごとの視聴に対する重要度を検出する検出手段と、
を備え、
前記決定手段は、前記検出手段によって検出された重要度に応じて、前記区間ごとのビットレートを決定することを特徴とする請求項１に記載の記録装置。
【請求項３】
前記取得手段は、前記受信手段によって受信されたコンテンツの内容から当該コンテンツ内の特定情報を取得することを特徴とする請求項１または２に記載の記録装置。
【請求項４】
前記コンテンツを任意の区間に分割する分割手段を備え、
前記取得手段は、外部から前記特定情報として、前記コンテンツの区間の分割に関する情報を取得し、
前記分割手段は、前記取得手段によって取得された前記コンテンツの区間の分割に関する情報に基づいて、当該コンテンツを任意の区間に分割し、
前記決定手段は、前記分割手段によって分割された区間ごとの視聴に対する重要度に応じて、当該区間ごとのビットレートを決定することを特徴とする請求項２または３に記載の記録装置。
【請求項５】
前記取得手段は、外部から前記特定情報として、前記コンテンツの区間の分割に関する情報とともに、分割された各区間の視聴に対する重要度の情報を取得し、
前記決定手段は、前記取得手段によって取得された前記コンテンツの区間の分割に関する情報および分割された各区間の視聴に対する重要度の情報に基づいて、当該区間ごとのビットレートを決定することを特徴とする請求項４に記載の記録装置。
【請求項６】
前記受信手段は、異なるビットレートで放送される同一内容のコンテンツをそれぞれ受信し、
前記決定手段は、前記コンテンツの任意の区間ごとの視聴に対する重要度に応じて、前記区間ごとに、前記受信手段によって受信された異なるビットレートで放送されるコンテンツのうちのいずれかのビットレートで放送されるコンテンツを記録するかを決定し、
前記記録制御手段は、前記決定手段によって決定されたビットレートで放送されるコンテンツに可変して各区間を前記記録媒体に記録することを特徴とする請求項１〜５のいずれか一つに記載の記録装置。
【請求項７】
前記検出手段は、前記区間のうちの前記重要度が所定値より高いハイライトシーンを検出し、
前記決定手段は、前記ハイライトシーンであると検出された区間以外の区間のビットレートをハイライトシーンに比べて相対的に低く決定することを特徴とする請求項１〜６のいずれか一つに記載の記録装置。
【請求項８】
前記記録制御手段は、前記検出手段によって検出された視聴に対する重要度が所定値より低い場合、前記記録媒体に記録しないことを特徴とする請求項１〜７のいずれか一つに記載の記録装置。
【請求項９】
記録媒体にコンテンツを記録する記録制御方法において、
所定のコンテンツを受信する受信工程と、
前記受信工程によって受信されたコンテンツの任意の区間ごとの視聴に対する重要度に応じて、当該区間ごとのビットレートを決定する決定工程と、
前記決定工程によって決定されたビットレートで可変して各区間を前記記録媒体に記録する記録制御工程と、
を含むことを特徴とする記録制御方法。
【請求項１０】
請求項９に記載の記録制御方法をコンピュータに実行させることを特徴とする記録制御プログラム。
【請求項１１】
請求項１０に記載の記録制御プログラムを記録したことを特徴とするコンピュータに読み取り可能な記録媒体。
【発明の詳細な説明】
【技術分野】
【０００１】
この発明は、記録媒体を制御して効率よくデジタル放送を記録する記録装置、記録制御方法、記録制御プログラムおよび記録媒体に関する。ただし、この発明の利用は、上述した記録装置、記録制御方法、記録制御プログラムおよび記録媒体には限られない。
【背景技術】
【０００２】
従来、各チャンネルごとにビットレートを変えるレート変換器を備えるとともに、利用者の視聴した番組の履歴を視聴履歴として記録し、エージェントによって視聴履歴から利用者の視聴傾向を抽出し、各チャンネルごとに選局された番組が利用者の視聴傾向に一致するかどうかを判定し、一致する場合には高品位の映像を維持できるビットレートのまま記録媒体に記録し、利用者の視聴傾向に一致しない場合には低ビットレートに変換して記録媒体に記録するデジタル放送記録装置が提案されている（たとえば、下記特許文献１参照。）。
【０００３】
【特許文献１】特開２００４−１８６８４５号公報
【発明の開示】
【発明が解決しようとする課題】
【０００４】
しかしながら、上述の特許文献１の技術では、利用者の視聴傾向に応じて各番組のビットレートを変換して記録するが、番組ごとに同じビットレートで記録しなければならないといった問題が一例として挙げられる。具体的には、たとえば、利用者の視聴傾向に一致する番組においても、視聴に対する重要度が低い区間の多い場合、高ビットレートで記録すると、記録媒体の記録容量を無駄に使用してしまうといった問題が一例として挙げられる。また、たとえば、低ビットレートで記録すると、視聴に対する重要度が高いハイライトシーンなどにおいても、映像の質が悪く詳細な内容がわからないといった問題が一例として挙げられる。
【課題を解決するための手段】
【０００５】
上述した課題を解決し、目的を達成するため、請求項１の発明にかかる記録装置は、記録媒体にコンテンツを記録する記録装置において、所定のコンテンツを受信する受信手段と、前記受信手段によって受信されたコンテンツの任意の区間ごとの視聴に対する重要度に応じて、当該区間ごとのビットレートを決定する決定手段と、前記決定手段によって決定されたビットレートで可変して各区間を前記記録媒体に記録する記録制御手段と、を備えることを特徴とする。
【０００６】
また、請求項９の発明にかかる記録制御方法は、記録媒体にコンテンツを記録する記録制御方法において、所定のコンテンツを受信する受信工程と、前記受信工程によって受信されたコンテンツの任意の区間ごとの視聴に対する重要度に応じて、当該区間ごとのビットレートを決定する決定工程と、前記決定工程によって決定されたビットレートで可変して各区間を前記記録媒体に記録する記録制御工程と、を含むことを特徴とする。
【０００７】
また、請求項１０の発明にかかる記録制御プログラムは、請求項９に記載の記録制御方法をコンピュータに実行させることを特徴とする。
【０００８】
また、請求項１１の発明にかかる記録媒体は、請求項１０に記載の記録制御プログラムをコンピュータに読み取り可能な状態で記録したことを特徴とする。
【発明を実施するための最良の形態】
【０００９】
以下に添付図面を参照して、この発明にかかる記録装置、記録制御方法、記録制御プログラム、および記録媒体の好適な実施の形態を詳細に説明する。
【００１０】
（実施の形態）
（記録装置の機能的構成）
まず、この発明の実施の形態にかかる記録装置１００の機能的構成について説明する。図１は、実施の形態にかかる記録装置の機能的構成を示すブロック図である。図１において、記録装置１００は、受信部１０１と、記録媒体１０２と、取得部１０３と、分割部１０４と、検出部１０５と、決定部１０６と、記録制御部１０７と、を備えている。
【００１１】
受信部１０１は、所定のコンテンツを受信する。コンテンツは、たとえば、映像情報や音声情報や文字情報などである。コンテンツは、具体的には、たとえば、ストリーミングデータや生中継放送など、徐々に配信されるデータでもよいし、後述する記録媒体１０２などに記録されたデータを読み出してもよい。また、受信部１０１は、異なるビットレートで放送される同一内容のコンテンツをそれぞれ受信してもよい。異なるビットレートで放送される同一内容のコンテンツは、具体的には、たとえば、地上波デジタル放送などのサイマル放送である。地上波デジタル放送を受信する場合、サイマル放送によって１２セグメント放送、および１セグメント放送をともに受信してもよい。
【００１２】
記録媒体１０２は、後述する記録制御部１０７の制御によってコンテンツが記録される。また、たとえば、記録媒体１０２は、受信部１０１によって受信された放送が一時的に記録されてもよい。したがって、具体的には、記録制御部１０７は、たとえば、タイムシフト機能などによって放送中のコンテンツを一時的に記録しながら、所定の時間遅延させて記録されたコンテンツを出力することができる。
【００１３】
取得部１０３は、受信部１０１によって受信されたコンテンツ内の特定情報を取得する。取得部１０３は、たとえば、受信部１０１によって受信されたコンテンツの内容からコンテンツ内の特定情報を取得する。コンテンツの内容からの特定情報は、具体的には、音声情報や映像情報の変化に関する情報などである。たとえば、音声情報がモノラルまたはステレオのどちらかを表す情報や、音声情報のレベルがそれまでのレベルより大きくなったことを示す情報や、映像情報にテロップが出たか否かを表す情報である。また、取得部１０３は、外部から特定情報として、コンテンツの区間の分割に関する情報を取得してもよい。さらに、取得部１０３は、外部から特定情報として、コンテンツの区間の分割に関する情報とともに、分割された各区間の視聴に対する重要度の情報を取得してもよい。具体的には、たとえば、外部からの特定情報は、コンテンツの内容からではなく、コンテンツとは別に送信される情報である。この場合、取得部１０３は、外部からの特定情報を、外部のサーバやデータベースなどから取得してもよい。具体的には、たとえば、送信側から後追いの形などで送信された、ハイライトシーンを示す区間に関する情報を取得する。なお、このハイライトシーンを示す区間に関する情報は、たとえば、上記したコンテンツの区間の分割に関する情報とともに、分割された各区間の視聴に対する重要度の情報とされる。また、ハイライトシーンを示す区間に関する情報以外としてＣＭ（Ｃｏｍｍｅｒｃｉａｌ  Ｍｅｓｓａｇｅ）を示す区間に関する情報を取得するが、この情報はコンテンツの区間の分割に関する情報とされる。取得したそれら外部からの特定情報に応じて以降の処理が異なる。
【００１４】
分割部１０４は、取得部１０３により取得された特定情報に基づき、または、その特定情報によらずに、受信部１０１によって受信されたコンテンツを任意の区間に分割する。具体的には、たとえば、取得部１０３によってコンテンツの内容から特定情報が取得された場合、その所定時間前から所定時間後までなどの区間を分割する。たとえば、音声情報や映像情報に所定の変化があった場合などに上記した区間を分割する。具体的には、たとえば、サッカー試合の番組などで大歓声があがった場合、分割してもよいし、ニュース番組などで、テロップが出た場合、分割してもよい。また、外部から取得された特定情報としてコンテンツの区間の分割に関する情報が取得された場合、たとえば、受信されたモノラル放送のコンテンツの音声情報を解析することにより、ステレオの部分をＣＭ部分であると判断してコンテンツ部分とＣＭ部分とを分割する。また、特定情報によらずに分割する場合は、たとえば、受信部１０１により受信されたコンテンツを一定時間ごとに分割する。
【００１５】
検出部１０５は、取得部１０３によって取得された特定情報に基づいて、コンテンツの任意の区間ごとの視聴に対する重要度を検出する。また、検出部１０５は、分割部１０４によって分割された区間ごとの視聴に対する重要度を検出してもよい。ここで、コンテンツの内容からの特定情報に基づく場合、視聴に対する重要度の検出は、たとえば、音声情報や映像情報に所定の変化があった場合に検出する。具体的には、大きくなった音声情報のレベルが所定のしきい値より大きい場合、音声認識などにより所定の単語を認識した場合、特定位置に特定のテロップが出た場合、重要度が高いと判断する。具体的には、たとえば、特定位置に特定のテロップが出た場合、コンテンツ内において各話題の始まりを検出することで重要度を判断することができる。また、検出部１０５は、区間のうちの重要度が所定値より高いハイライトシーンを検出してもよい。また、検出部１０５は、取得部１０３によってコンテンツの内容からの特定情報と、外部からの特定情報とを取得した場合、外部からの特定情報を優先して、コンテンツの任意の区間ごとの視聴に対する重要度を検出してもよい。
【００１６】
決定部１０６は、受信部１０１によって受信されたコンテンツの任意の区間ごとの視聴に対する重要度に応じて、区間ごとのビットレートを決定する。また、決定部１０６は、検出部１０５によって検出された重要度に応じて、区間ごとのビットレートを決定する。具体的には、たとえば、重要度が高い場合にビットレートを高く決定し、重要度が低い場合にビットレートを低く決定する。また、決定部１０６は、検出部１０５によって重要度の高い区間であると検出された区間のみ、通常のビットレートより高いビットレートに決定する構成でもよいし、検出部１０５によって重要度の高い区間でないと検出された区間のみ、通常のビットレートより低いビットレートに決定する構成でもよい。決定部１０６は、たとえば、ハイライトシーンであると検出された区間以外の区間のビットレートをハイライトシーンに比べて相対的に低く決定する。さらに、決定部１０６は、取得部１０３によって外部から特定情報として取得した、コンテンツの区間の分割に関する情報とともに、分割された各区間の視聴に対する重要度の情報に基づいて、区間ごとのビットレートを決定してもよい。この場合、分割部１０４または／および検出部１０５による処理は、省略してもよい。
【００１７】
また、決定部１０６は、受信部１０１によって異なるビットレートで放送される同一内容のコンテンツをそれぞれ受信した場合、コンテンツの任意の区間ごとの視聴に対する重要度に応じて、区間ごとに、受信部１０１によって受信された異なるビットレートで放送されるコンテンツのうちのいずれかのビットレートで放送されるコンテンツを記録するか決定してもよい。具体的には、たとえば、サイマル放送の場合、ハイライトシーンであると検出された区間以外の区間を１セグメント放送で記録すると決定する。また、決定部１０６は、サイマル放送の場合、取得部１０３によって外部から取得された特定情報に基づいて、区間ごとに１２セグメント放送もしくは１セグメント放送のいずれかの放送で記録するかを決定してもよい。
【００１８】
具体的には、たとえば、受信部１０１によってサイマル放送を受信可能な場合、ビットレートを変換しなくても、記録媒体１０２に記録する放送を１２セグメント放送または１セグメント放送に可変することで、重要度の高い区間に対しては、高画質の１２セグメント放送で記録し、重要度の低い区間に対しては、データ量の少ない１セグメント放送で記録することができる。したがって、たとえば、ビットレートを変換する構成を新たに備えなくても、複数のコンテンツを受信可能な装置においては、記録制御処理をおこなうことができる。
【００１９】
記録制御部１０７は、決定部１０６によって決定されたビットレートで可変して各区間を記録媒体に記録する。また、記録制御部１０７は、検出部１０５によって検出された視聴に対する重要度が所定値より低い場合、記録媒体１０２に記録しない構成でもよい。さらに、記録制御部１０７は、たとえば、決定部１０６によって決定されたビットレートで可変して各区間を記録媒体１０２に記録する。また、記録制御部１０７は、記録媒体１０２に一時的に記録されたコンテンツの各区間を、決定部１０６によって決定されたビットレートに変更して記録媒体１０２に記録してもよい。したがって、記録制御部１０７は、タイムシフト機能によってコンテンツを記録しながら出力する場合も、ビットレートを変更して記録することができる。
【００２０】
記録制御部１０７は、たとえば、決定部１０６によって決定されたビットレートで放送されるコンテンツに可変して各区間を記録媒体１０２に記録する。具体的には、たとえば、サイマル放送の場合、区間ごとに、１２セグメント放送および１セグメント放送のいずれかで放送されるコンテンツを記録媒体１０２に記録する。また、記録制御部１０７は、記録媒体１０２に一時的に記録されたコンテンツの各区間を、決定部１０６によって決定されたビットレートで放送されるコンテンツに変更して記録媒体１０２に記録してもよい。
【００２１】
また、図１においては、たとえば、取得部１０３は、受信部１０１によって受信されたコンテンツの内容から視聴に対する重要度が高いか否かの情報を取得してもよい。具体的には、たとえば、音声情報のレベルが所定のしきい値より大きいか否かの情報を取得する。すなわち、取得部１０３は、取得手段と検出手段とを備える構成としてもよい。そして、分割部１０４は、取得部１０３によって重要度が高いという情報が取得された場合、コンテンツを任意の区間に分割する。この場合、決定部１０５は、検出部１０５による視聴に対する重要度の検出をせずに、分割部１０４によって分割された区間を通常のビットレートより高く決定してもよい。また、図１においては、たとえば、取得部１０３は、入力デバイスなどから重要度の高い条件、もしくはハイライトシーンに関する条件の入力を受け付けてもよい。この場合、検出部１０５は、取得部１０３によって取得された条件に合致する区間を、他の区間より重要度の高い区間、もしくはハイライトシーン区間であると検出する。具体的には、たとえば、サッカー中継の場合、ハイライトシーンは、「ゴールシーン」であるという条件の入力を受け付ける。そして、検出部１０５は、テロップに「ゴール」と出た場合、音声情報の解析により「ゴール」という単語を取得した場合、歓声が所定のしきい値より大きい場合に、ハイライトシーンであると検出する。
【００２２】
（記録装置の記録制御処理手順）
つぎに、本実施の形態にかかる記録装置１００の記録制御処理手順について説明する。図２は、本実施の形態にかかる記録装置の記録制御処理手順を示すフローチャートである。図２のフローチャートにおいて、まず、受信部１０１によって任意のコンテンツを受信する（ステップＳ２０１）。また、ステップＳ２０１においては、任意のコンテンツとともに、取得部１０３によってコンテンツ内の特定情報を取得してもよい。この場合、特定情報は、コンテンツの内容から取得してもよいし、外部から取得してもよい。そして、分割部１０４によって、ステップＳ２０１において受信されたコンテンツを任意の区間に分割する（ステップＳ２０２）。
【００２３】
さらに、検出部１０５によって、ステップＳ２０１とともに取得された特定情報に基づいて、ステップＳ２０２において分割された区間ごとの視聴に対する重要度を検出する（ステップＳ２０３）。そして、決定部１０６によって、ステップＳ２０３において検出された重要度に応じて、区間ごとのビットレートを決定する（ステップＳ２０４）。つぎに、記録制御部１０７によって、ステップＳ２０４において決定されたビットレートで可変して各区間を記録媒体１０２に記録して（ステップＳ２０５）、一連の処理を終了する。
【００２４】
なお、図２のフローチャートにおいては、ステップＳ２０２において任意の区間に分割し、ステップＳ２０３において重要度を検出するとしているが、これに限るものではない。具体的には、たとえば、まず、重要度を検出し、重要度に変化があった場合に、コンテンツを分割してもよい。また、たとえば、取得部１０３によって外部から特定情報として、コンテンツの区間の分割に関する情報とともに、分割された各区間の視聴に対する重要度の情報を取得する場合、ステップＳ２０２およびステップＳ２０３を省略し、そのままステップＳ２０４においてビットレートを決定してもよい。
【００２５】
また、図２のフローチャートにおいては、ステップＳ２０１において異なるビットレートで放送される同一内容のコンテンツを受信する場合、ステップＳ２０４においては、コンテンツの任意の区間ごとの視聴に対する重要度に応じて、区間ごとに、ステップＳ２０１において受信された異なるビットレートで放送されるコンテンツのうちのいずれのビットレートで放送されるコンテンツを記録するかを決定してもよい。
【００２６】
上述したように、本実施の形態の記録装置１００によれば、受信部１０１によって所定のコンテンツを受信し、決定部１０６によって、受信されたコンテンツの任意の区間ごとの視聴に対する重要度に応じて、区間ごとのビットレートを決定する。そして、記録制御部１０７によって、決定されたビットレートで可変して各区間を前記記録媒体に記録する。したがって、コンテンツの各区間の視聴に対する重要度に応じて、ビットレートを可変して記録することができる。これによって、利用者は、たとえば、限られた容量の記録媒体１０２に記録する場合、重要度に応じてビットレートを可変して番組の各シーンを記録することで、記録媒体１０２の容量を効率的に利用することができる。
【００２７】
また、本実施の形態の記録装置１００によれば、取得部１０３によって、受信部１０１によって受信されたコンテンツ内の特定情報を取得し、取得された前記特定情報に基づいて、検出部１０５によって、コンテンツの任意の区間ごとの視聴に対する重要度を検出する。そして、決定部１０６によって、重要度に応じて、区間ごとのビットレートを決定することができる。したがって、１つの番組内でも、重要度に応じて異なるビットレートで記録することができる。これによって、利用者は、限られた容量の記録媒体１０２に記録する場合、重要度に応じてビットレートを可変して番組の各シーンを記録することで、記録媒体１０２の容量を効率的に利用することができる。
【００２８】
また、本実施の形態の記録装置１００によれば、取得部１０３によって、受信されたコンテンツの内容からコンテンツ内の特定情報を取得することができる。したがって、コンテンツ以外の情報を取得しなくても、ビットレートを可変して記録することができる。これによって、利用者は、生放送番組などの即時的な放送に関しても、重要度に応じてビットレートを可変して番組の各シーンを記録することで、記録媒体１０２の容量を効率的に利用することができる。
【００２９】
また、本実施の形態の記録装置１００によれば、取得部１０３によって、外部から特定情報として、コンテンツの区間の分割に関する情報を取得し、分割部１０４によって、コンテンツの区間の分割に関する情報に基づいて、コンテンツを任意の区間に分割し、決定部１０６によって、分割された区間ごとの視聴に対する重要度に応じて、区間ごとのビットレートを決定することができる。したがって、コンテンツを配信する配信先からの区間の分割に関する情報に基づいて、コンテンツを各区間に分割し、ビットレートを可変して記録することができる。これによって、利用者は、コンテンツの各区間を正確に分割することができ、記録媒体１０２の容量を効率的に利用しながら、ハイライトシーンの映像を鮮明な映像で視聴することができる。
【００３０】
また、本実施の形態の記録装置１００によれば、取得部１０３によって、外部から特定情報として、コンテンツの区間の分割に関する情報とともに、分割された各区間の視聴に対する重要度の情報を取得し、決定部１０６によって、コンテンツの区間の分割に関する情報および分割された各区間の視聴に対する重要度の情報に基づいて、区間ごとのビットレートを決定することができる。したがって、コンテンツを配信する配信先からの分割された各区間の視聴に対する重要度の情報に基づいて、コンテンツの各区間のビットレートを決定することができる。これによって、利用者は、コンテンツのハイライトシーンを正確に判断することができ、記録媒体１０２の容量を効率的に利用しながら、ハイライトシーンの映像を鮮明な映像で視聴することができる。
【００３１】
また、本実施の形態の記録装置１００によれば、受信部１０１によって、異なるビットレートで放送される同一内容のコンテンツをそれぞれ受信し、決定部１０６によって、コンテンツの任意の区間ごとの視聴に対する重要度に応じて、区間ごとに、異なるビットレートで放送されるコンテンツのうちのいずれかのビットレートで放送されるコンテンツを記録するかを決定し、記録制御部１０７によって、決定されたビットレートで放送されるコンテンツに可変して各区間を記録媒体１０２に記録することができる。したがって、ビットレートを変換する機能を持たない装置において、１つの番組内でも、重要度に応じて異なるビットレートで放送されるコンテンツのいずれかの放送に変更して記録することができる。これによって、利用者は、ビットレートを変換する機能を新たに備えなくても、限られた容量の記録媒体１０２に記録する場合、重要度に応じて異なるビットレートで放送される同一内容のコンテンツのいずれかの放送に変更してコンテンツを記録することで、記録媒体１０２の容量を効率的に利用することができる。
【００３２】
また、本実施の形態の記録装置１００によれば、検出部１０５によって、区間のうちの重要度が所定値より高いハイライトシーンを検出し、決定部１０６によって、ハイライトシーンであると検出された区間以外の区間のビットレートをハイライトシーンに比べて相対的に低く決定することができる。したがって、１つの番組内でも、ハイライトシーンのみ高品位の映像で記録することができる。これによって、利用者は、記録媒体１０２の容量を効率的に利用しながらも、ハイライトシーンの映像を鮮明な映像で視聴することができる。
【００３３】
また、本実施の形態の記録装置１００によれば、検出部に１０５よって検出された視聴に対する重要度が所定値より低い場合、記録制御部１０７によって記録媒体１０２に記録しないことができる。したがって、コンテンツのハイライトシーンのみを記録することができる。これによって、利用者は、たとえば、自身で編集などをしなくても、見応えのあるハイライトシーンのみを記録することができる。
【実施例１】
【００３４】
以下に、本発明の実施例１について説明する。実施例１では、たとえば、デジタル放送を受信可能なデジタル放送記録装置によって、本発明の記録装置を実施した場合の一例について説明する。
【００３５】
（デジタル放送記録装置のハードウェア構成）
つぎに、実施例１にかかるデジタル放送記録装置３００のハードウェア構成について説明する。図３は、実施例１にかかるデジタル放送記録装置のハードウェア構成を示すブロック図である。図３において、デジタル放送記録装置３００は、ＣＰＵ３０１と、ＲＯＭ３０２と、ＲＡＭ３０３と、磁気ディスクドライブ３０４と、磁気ディスク３０５と、光ディスクドライブ３０６と、光ディスク３０７と、音声Ｉ／Ｆ（インターフェース）３０８と、スピーカ３０９と、入力デバイス３１０と、映像Ｉ／Ｆ３１１と、ディスプレイ３１２と、通信Ｉ／Ｆ３１３と、を備えている。また、各構成部３０１〜３１３はバス３２０によってそれぞれ接続されている。
【００３６】
まず、ＣＰＵ３０１は、デジタル放送記録装置３００の全体の制御を司る。ＲＯＭ３０２は、ブートプログラム、復号化プログラム、記録制御プログラム、ハイライトシーン検出プログラムなどの各種プログラムを記録している。また、ＲＡＭ３０３は、ＣＰＵ３０１のワークエリアとして使用される。また、コンテンツの複製を生成して子機へ転送させてもよい。
【００３７】
磁気ディスクドライブ３０４は、ＣＰＵ３０１の制御にしたがって磁気ディスク３０５に対するデータの読み取り／書き込みを制御する。磁気ディスク３０５は、磁気ディスクドライブ３０４の制御で書き込まれたデータを記録する。磁気ディスク３０５としては、たとえば、ＨＤ（ハードディスク）やＦＤ（フレキシブルディスク）を用いることができる。
【００３８】
光ディスクドライブ３０６は、ＣＰＵ３０１の制御にしたがって光ディスク３０７に対するデータの読み取り／書き込みを制御する。光ディスク３０７は、光ディスクドライブ３０６の制御にしたがってデータが読み出される着脱自在な記録媒体である。光ディスク３０７は、書き込み可能な記録媒体を利用することもできる。また、この着脱可能な記録媒体として、光ディスク３０７のほか、ＭＯ、メモリカードなどであってもよい。
【００３９】
音声Ｉ／Ｆ３０８は、音声出力用のスピーカ３０９に接続される。スピーカ３０９からは、音声が出力される。
【００４０】
入力デバイス３１０は、文字、数値、各種指示などの入力のための複数のキーを備えたリモコン、キーボード、マウス、タッチパネルなどが挙げられる。
【００４１】
映像Ｉ／Ｆ３１１は、ディスプレイ３１２と接続される。映像Ｉ／Ｆ３１１は、具体的には、たとえば、ディスプレイ３１２全体の制御をおこなうグラフィックコントローラと、即時表示可能な画像情報を一時的に記録するＶＲＡＭ（Ｖｉｄｅｏ  ＲＡＭ）などのバッファメモリと、グラフィックコントローラから出力される画像データに基づいて、ディスプレイ３１２を表示制御する制御ＩＣなどによって構成される。
【００４２】
ディスプレイ３１２には、アイコン、カーソル、メニュー、ウインドウ、あるいは文字や画像などの各種データが表示される。このディスプレイ３１２は、たとえば、ＣＲＴ、ＴＦＴ液晶ディスプレイ、プラズマディスプレイなどを採用することができる。
【００４３】
通信Ｉ／Ｆ３１３は、無線を介してネットワークに接続され、デジタル放送記録装置３００と、ＣＰＵ３０１とのインターフェースとして機能する。通信Ｉ／Ｆ３１３は、さらに、無線を介してインターネットなどの通信網に接続され、この通信網とＣＰＵ３０１とのインターフェースとしても機能する。
【００４４】
通信網には、ＬＡＮ、ＷＡＮ、公衆回線網や携帯電話網などがある。具体的には、通信Ｉ／Ｆ３１３は、たとえば、ＦＭチューナーなどによって構成される。
【００４５】
図１に示した記録装置１００が備える受信部１０１、記録媒体１０２、取得部１０３、分割部１０４、検出部１０５、決定部１０６、記録制御部１０７は、図３に示したデジタル放送記録装置３００におけるＲＯＭ３０２、ＲＡＭ３０３、磁気ディスク３０５、光ディスク３０７などに記録されたプログラムやデータを用いて、ＣＰＵ３０１が所定のプログラムを実行し、デジタル放送記録装置３００における各部を制御することによってその機能を実現する。
【００４６】
すなわち、実施例のデジタル放送記録装置３００は、デジタル放送記録装置３００における記録媒体としてのＲＯＭ３０２に記録されている記録制御プログラムを実行することにより、図１に示した記録装置１００が備える機能を、図２に示した記録制御処理手順で実行することができる。
【００４７】
（デジタル放送記録装置の機能的構成の一例）
つぎに、図４を用いて実施例１にかかるデジタル放送記録装置３００の機能的構成の一例について説明する。図４は、実施例１にかかるデジタル放送記録装置の機能的構成の一例について示した説明図である。図４においては、デジタル放送記録装置３００は、アンテナ４０１と、制御部４０３と、チューナー４０２と、復号部ａ４０４ａと、復号部ｂ４０４ｂと、出力部４０５と、ハイライトシーン検出部４０６と、レート変換部４０７と、記録媒体４０８と、操作部４０９と、を備えている。
【００４８】
アンテナ４０１は、具体的には、たとえば、ＵＨＦアンテナなどであり、デジタル放送などを放送する各放送局からの信号を受信する。そして、アンテナ４０１において受信された電波（信号）は、接続されたチューナー４０２に転送される。アンテナ４０１は、たとえば、通信Ｉ／Ｆ３１３によって、その機能が実現される。
【００４９】
チューナー４０２は、具体的には、アンテナ４０１によって受信されたデジタル放送の中から、制御部４０３の制御により選択された周波数の電波を選択的に受信する。デジタル放送においては、１つの周波数の中に複数の番組が含まれていてもよい。また、チューナー４０２は、アンテナ４０１によって受信された信号を復調する。復調は、電波の振幅、周波数、位相のいずれかまたは組み合わせたものを変換させて信号を送出する。変換の方式は衛星放送、デジタル放送、ケーブルテレビなど伝送路固有の特性に応じて異なる。チューナー４０２は、たとえば、通信Ｉ／Ｆ３１３によって、その機能が実現される。
【００５０】
制御部４０３は、具体的には、デジタル放送記録装置３００の全体を制御する。また、制御部４０３は、チューナー４０２によって送出された信号を映像情報と音声情報とに分離して出力する。制御部４０３は、たとえば、ＣＰＵ３０１、ＲＯＭ３０２、ＲＡＭ３０３などによってその機能が実現される。
【００５１】
復号部ａ４０４ａは、具体的には、制御部４０３によって分離された映像情報と音声情報とを復号する。そして、復号されたデータをハイライトシーン検出部４０６に送出する。さらに、復号部ａ４０４ａは、後述する操作部４０９の制御により制御部４０３が記録媒体４０８から読み出した映像情報および音声情報を受信し、復号して、出力部４０５に出力する。復号部ａ４０４ａおよび復号部ｂ４０４ｂは、たとえば、ＣＰＵ３０１によってＲＡＭ３０３をワークエリアとして使用しながら、ＲＯＭ３０２に記録された復号化プログラムなどを実行することによって、その機能が実現される。
【００５２】
また、復号部ｂ４０４ｂは、備えられていなくてもよい。復号部ｂ４０４ｂが備えられている場合、チューナー４０２によって復調し、制御部４０３によって分離された映像情報および音声情報は、復号部ａ４０４ａとともに復号部ｂ４０４ｂに送出される。この場合、復号部ａ４０４ａは、受信した映像情報および音声情報を出力部４０５に送出する。そして、復号部ｂ４０４ｂは、受信した映像情報および音声情報をハイライトシーン検出部４０６に送出してもよい。
【００５３】
出力部４０５は、具体的には、復号部ａ４０４ａによって復号されたデータを出力する。出力部４０５は、たとえば、音声Ｉ／Ｆ３０８や映像Ｉ／Ｆ３１１によってその機能が実現される。
【００５４】
ハイライトシーン検出部４０６は、具体的には、たとえば、復号部ａ４０４ａによって復号されたデータから、ハイライトシーンに関する情報を検出し、この情報を制御部４０３に送出する。そして、制御部４０３においては、ハイライトシーン検出部４０６から受信された情報に基づいて、番組の各区間の重要度を決定する。さらに、制御部４０３は、決定された重要度に応じた記録レート（ビットレート）をレート変換部４０７に指示する。ハイライトシーン検出部４０６は、たとえば、ＣＰＵ３０１によってＲＡＭ３０３をワークエリアとして使用しながら、ＲＯＭ３０２に記録されたハイライトシーン検出プログラムなどを実行することによって、その機能が実現される。
【００５５】
レート変換部４０７は、具体的には、制御部４０３による指示に応じてビットレートを動的に変化させながら、記録媒体４０８に記録する。レート変換部４０７は、たとえば、磁気ディスクドライブ３０４や光ディスクドライブ３０６によって、その機能が実現される。
【００５６】
記録媒体４０８は、具体的には、レート変換部４０７の制御によって変化されたビットレートによって番組が記録される。記録媒体４０８は、たとえば、磁気ディスク３０５や光ディスク３０７によって、その機能が実現される。
【００５７】
操作部４０９は、具体的には、記録媒体４０８に記録されている番組の出力指示を制御部４０３に送出する。ここで、制御部４０３は、出力指示に応じて記録媒体４０８からデータを読み出し、復号部ａ４０４ａへ送出する。そして、チューナー４０２からのデータを、記録媒体４０８からのデータに切り替える。さらに、復号部ａ４０４ａにおいて復号し、出力部４０５によって記録媒体４０８から読み出されたデータを出力する。操作部４０９は、たとえば、入力デバイス３１０によって、その機能が実現される。
【００５８】
（デジタル放送記録装置の処理の一例）
つぎに、実施例１にかかるデジタル放送記録装置３００の処理の一例について説明する。図５は、実施例１にかかるデジタル放送記録装置の処理の一例を示すフローチャートである。図５のフローチャートにおいて、まず、チューナー４０２によって番組を選択する（ステップＳ５０１）。つぎに、アンテナ４０１によって、ステップＳ５０１において選択した番組の信号を受信する（ステップＳ５０２）。
【００５９】
そして、制御部４０３によって、ステップＳ５０２において受信した信号から、ステップＳ５０１において選択した番組の映像情報と音声情報とを分離する（ステップＳ５０３）。つぎに、復号部ａ４０４ａまたは復号部ｂ４０４ｂによって、ステップＳ５０３において分離された映像情報および音声情報を復号する（ステップＳ５０４）。ステップＳ５０４において復号された映像情報および音声情報を所定区間に分割する（ステップＳ５０５）。そして、ハイライトシーン検出部４０６によって、ステップＳ５０５において分割された所定区間ごとにハイライトシーンか否かを判断する（ステップＳ５０６）。ステップＳ５０６においては、ハイライトシーンか否かの判断は、番組内の特定情報に基づいて判断してもよいし、番組を放送している放送局から送信されるハイライトシーンに関する情報によって判断してもよい。
【００６０】
ステップＳ５０６においてハイライトシーンの場合（ステップＳ５０６：Ｙｅｓ）、制御部４０３によって、記録するビットレートをハイライトシーン以外の区間より高レートに決定する（ステップＳ５０７）。ステップＳ５０７においては、ステップＳ５０２において高レートで番組の信号を受信している場合、そのままレートを変えないと決定してもよい。また、ステップＳ５０６においてハイライトシーンではない場合（ステップＳ５０６：Ｎｏ）、制御部４０３によって、記録するビットレートをハイライトシーンより低レートに決定する（ステップＳ５０８）。ステップＳ５０８においては、ステップＳ５０２において低レートで番組の信号を受信している場合、そのままレートを変えないと決定してもよい。そして、レート変換部４０７によって、ステップＳ５０７またはステップＳ５０８において決定されたビットレートで可変して記録媒体４０８に区間を記録する（ステップＳ５０９）。つぎに、放送終了か否かを判断して（ステップＳ５１０）、ステップＳ５１０において放送終了の場合（ステップＳ５１０：Ｙｅｓ）、そのまま一連の処理を終了する。一方、ステップＳ５１０において放送終了ではない場合（ステップＳ５１０：Ｎｏ）、ステップＳ５０６に戻り、以降の処理を繰り返しおこなう。
【００６１】
なお、図５のフローチャートにおいては、ステップＳ５０２において、ステップＳ５０１において選択した番組の信号を受信するとしているが、これに限るものではない。具体的には、たとえば、一時的に記録媒体４０８に記録した番組を取得してもよい。したがって、たとえば、タイムシフト機能を利用している間も図５に示した処理をおこなうことができる。
【００６２】
また、図５のフローチャートにおいては、ステップＳ５０４において、ステップＳ５０３において分離された映像情報および音声情報を復号し、つぎに、ステップＳ５０６においてハイライトシーンか否かを判断してもよい。この場合、ステップＳ５０６：Ｙｅｓにおいてハイライトシーンであると判断された場合、ステップＳ５０５の処理により所定区間に分割して、ステップＳ５０７に進み、分割された区間を高レートに決定してもよい。そして、ステップＳ５０９に進み、ステップＳ５０７において決定された高レートのビットレートで記録媒体４０８にハイライトシーン区間を記録する。一方、ステップＳ５０６：Ｎｏにおいてハイライトシーンでないと判断された場合、ステップＳ５０８に進み、通常レートのままであると決定してもよい。そして、所定区間に分割せずに、ステップＳ５０９に進み、ステップＳ５０８において決定された通常レートのまま、記録媒体４０８に記録してもよい。
【００６３】
（ビットレートを変換して記録媒体に記録する処理の内容の一例）
つぎに、図６を用いて、ビットレートを変換して記録媒体に記録する処理の内容の一例について説明する。図６は、ビットレートを変換して記録媒体に記録する処理の内容の一例について示した説明図である。図６においては、ビットレートをすべて高レートで記録したデータ６０１と、実施例１におけるデジタル放送記録装置３００によってビットレートを可変して記録したデータ６１０と、を示している。
【００６４】
図６においては、ビットレートを可変して記録したデータ６１０は、具体的には、たとえば、サッカー中継を記録したとする。本発明のデジタル放送記録装置３００は、放送開始から試合開始までの間、および試合終了から放送終了までの間をハイライトシーンではない（重要度が低い）区間６１１と決定する。そして、試合開始から１０分間および試合終了までの１０分間は、ハイライトシーン（重要度が高い）区間６１２と決定する。さらに、ゴールシーンが検出された場合、ハイライトシーン区間６１２と決定する。
【００６５】
したがって、デジタル放送記録装置３００は、ハイライトシーン区間６１２のビットレートを高レートのままにして、それ以外の区間のビットレートを低レートに変更して記録する。これによって、ビットレートを可変して記録したデータ６１０は、ビットレートをすべて高レートで記録したデータ６０１よりも、記録媒体に空き容量６１３が残り、多くの番組を記録することができる。さらに、ハイライトシーン区間６１２に関しては、ビットレートを高レートにして記録することができるため、ハイライトシーン区間６１２において映像や音声の乱れがなく、高品質の番組を視聴することができる。
【００６６】
上述したように、実施例１のデジタル放送記録装置３００によれば、受信部１０１によって所定のコンテンツを受信し、決定部１０６によって、受信されたコンテンツの任意の区間ごとの視聴に対する重要度に応じて、区間ごとのビットレートを決定する。そして、記録制御部１０７によって、決定されたビットレートで可変して各区間を前記記録媒体に記録する。したがって、コンテンツの各区間の視聴に対する重要度に応じて、ビットレートを可変して記録することができる。これによって、利用者は、たとえば、限られた容量の記録媒体１０２に記録する場合、重要度に応じてビットレートを可変して番組の各シーンを記録することで、記録媒体１０２の容量を効率的に利用することができる。
【００６７】
また、実施例１のデジタル放送記録装置３００によれば、取得部１０３によって、受信部１０１によって受信されたコンテンツ内の特定情報を取得し、取得された前記特定情報に基づいて、検出部１０５によって、コンテンツの任意の区間ごとの視聴に対する重要度を検出する。そして、決定部１０６によって、重要度に応じて、区間ごとのビットレートを決定することができる。したがって、１つの番組内でも、重要度に応じて異なるビットレートで記録することができる。これによって、利用者は、限られた容量の記録媒体１０２に記録する場合、重要度に応じてビットレートを可変して番組の各シーンを記録することで、記録媒体１０２の容量を効率的に利用することができる。
【００６８】
また、実施例１のデジタル放送記録装置３００によれば、取得部１０３によって、受信されたコンテンツの内容からコンテンツ内の特定情報を取得することができる。したがって、コンテンツ以外の情報を取得しなくても、ビットレートを可変して記録することができる。これによって、利用者は、生放送番組などの即時的な放送に関しても、重要度に応じてビットレートを可変して番組の各シーンを記録することで、記録媒体１０２の容量を効率的に利用することができる。
【００６９】
また、実施例１のデジタル放送記録装置３００によれば、取得部１０３によって、外部から特定情報として、コンテンツの区間の分割に関する情報を取得し、分割部１０４によって、コンテンツの区間の分割に関する情報に基づいて、コンテンツを任意の区間に分割し、決定部１０６によって、分割された区間ごとの視聴に対する重要度に応じて、区間ごとのビットレートを決定することができる。したがって、コンテンツを配信する配信先からの区間の分割に関する情報に基づいて、コンテンツを各区間に分割し、ビットレートを可変して記録することができる。これによって、利用者は、コンテンツの各区間を正確に分割することができ、記録媒体１０２の容量を効率的に利用しながら、ハイライトシーンの映像を鮮明な映像で視聴することができる。
【００７０】
また、実施例１のデジタル放送記録装置３００によれば、取得部１０３によって、外部から特定情報として、コンテンツの区間の分割に関する情報とともに、分割された各区間の視聴に対する重要度の情報を取得し、決定部１０６によって、コンテンツの区間の分割に関する情報および分割された各区間の視聴に対する重要度の情報に基づいて、区間ごとのビットレートを決定することができる。したがって、コンテンツを配信する配信先からの分割された各区間の視聴に対する重要度の情報に基づいて、コンテンツの各区間のビットレートを決定することができる。これによって、利用者は、コンテンツのハイライトシーンを正確に判断することができ、記録媒体１０２の容量を効率的に利用しながら、ハイライトシーンの映像を鮮明な映像で視聴することができる。
【００７１】
また、実施例１のデジタル放送記録装置３００によれば、検出部１０５によって、区間のうちの重要度が所定値より高いハイライトシーンを検出し、決定部１０６によって、ハイライトシーンであると検出された区間以外の区間のビットレートをハイライトシーンに比べて相対的に低く決定することができる。したがって、１つの番組内でも、ハイライトシーンのみ高品位の映像で記録することができる。これによって、利用者は、記録媒体１０２の容量を効率的に利用しながらも、ハイライトシーンの映像を鮮明な映像で視聴することができる。
【００７２】
また、実施例１のデジタル放送記録装置３００によれば、検出部に１０５よって検出された視聴に対する重要度が所定値より低い場合、記録制御部１０７によって記録媒体１０２に記録しないことができる。したがって、コンテンツのハイライトシーンのみを記録することができる。これによって、利用者は、たとえば、自身で編集などをしなくても、見応えのあるハイライトシーンのみを記録することができる。
【００７３】
以上説明したように、本発明の記録装置、記録制御方法、記録制御プログラム、および記録媒体によれば、実施例１のデジタル放送記録装置３００において、ハイライトシーン検出部４０６によって検出されたハイライトシーンに応じて、制御部４０３によってビットレートを決定する。そして、レート変換部４０７によって、決定されたビットレートで記録媒体４０８に記録することができる。これによって、利用者は、限られた容量の記録媒体４０８に記録する場合、重要度に応じてビットレートを可変して番組の各シーンを記録することで、情報の質を落とすことなく、記録媒体４０８の容量を効率的に利用することができる。
【実施例２】
【００７４】
以下に、本発明の実施例２について説明する。実施例２では、たとえば、複数のチューナーを備え、サイマル放送を受信可能なデジタル放送記録装置によって、本発明の記録装置を実施した場合の一例について説明する。なお、実施例２においては、実施例１とハードウェア構成は、ほぼ同じなので説明を省略する。さらに、実施例２においては、実施例１と同一部分は同一符号を付し、説明を省略する。
【００７５】
したがって、図１に示した記録装置１００が備える受信部１０１、記録媒体１０２、取得部１０３、分割部１０４、検出部１０５、決定部１０６、記録制御部１０７は、実施例２のデジタル放送記録装置７００におけるＲＯＭ３０２、ＲＡＭ３０３、磁気ディスク３０５、光ディスク３０７などに記録されたプログラムやデータを用いて、ＣＰＵ３０１が所定のプログラムを実行し、デジタル放送記録装置７００における各部を制御することによってその機能を実現する。
【００７６】
すなわち、実施例２のデジタル放送記録装置７００は、デジタル放送記録装置７００における記録媒体としてのＲＯＭ３０２に記録されている記録制御プログラムを実行することにより、図１に示した記録装置１００が備える機能を、図２に示した記録制御処理手順で実行することができる。
【００７７】
（デジタル放送記録装置の機能的構成の他の一例）
まず、図７を用いて、実施例２にかかるデジタル放送記録装置７００の機能的構成の他の一例について説明する。図７は、実施例２にかかるデジタル放送記録装置の機能的構成の他の一例について示した説明図である。図７においては、デジタル放送記録装置７００は、２つのチューナー（チューナーａ７０１、チューナーｂ７０２）を備え、レート変換部４０７を省いた点で、実施例１のデジタル放送記録装置３００と異なる。
【００７８】
図７において、アンテナ４０１は、サイマル放送に対応していてもよい。サイマル放送は、１つの放送局が複数のチャンネルや放送方式で同じ時間に同じ番組を放送することである。具体的には、たとえば、地上波デジタル放送において、１２セグメント放送および１セグメント放送で同じ時間に同じ番組を受信してもよい。
【００７９】
チューナーｂ７０２は、通信Ｉ／Ｆ３１３によって、その機能が実現される。具体的には、チューナーｂ７０２は、チューナーａ７０１とともに、制御部４０３の制御により選択された番組のサイマル放送を受信してもよい。また、チューナーｂ７０２は、具体的には、たとえば、ＰｉｎＰ（Ｐｉｃｔｕｒｅ  ｉｎ  Ｐｉｃｔｕｒｅ）機能や、同時刻に他のＣＨで放送している番組（裏番組）を録画する機能をおこなうために番組を受信してもよい。
【００８０】
（デジタル放送記録装置の処理の他の一例）
つぎに、実施例２にかかるデジタル放送記録装置７００の処理の他の一例について説明する。図８は、実施例２にかかるデジタル放送記録装置の処理の他の一例を示すフローチャートである。図８のフローチャートにおいて、まず、チューナーによって番組を選択する（ステップＳ８０１）。つぎに、ステップＳ８０１において選択した番組のサイマル放送を受信する（ステップＳ８０２）。
【００８１】
そして、制御部４０３によって、ステップＳ８０２において受信したサイマル放送の信号から、ステップＳ８０１において選択した番組の映像情報と音声情報とを分離する（ステップＳ８０３）。つぎに、復号部ａ４０４ａまたは復号部ｂ４０４ｂによって、ステップＳ８０３において分離された映像情報および音声情報を復号する（ステップＳ８０４）。ステップＳ８０４において復号された映像情報および音声情報を所定区間に分割する（ステップＳ８０５）。そして、ハイライトシーン検出部４０６によって、ステップＳ８０５において分割された所定区間ごとにハイライトシーンか否かを判断する（ステップＳ８０６）。ステップＳ８０６においては、ハイライトシーンか否かの判断は、番組内の特定情報に基づいて判断してもよいし、番組を放送している放送局から送信されるハイライトシーンに関する情報によって判断してもよい。
【００８２】
ステップＳ８０６においてハイライトシーンの場合（ステップＳ８０６：Ｙｅｓ）、制御部４０３によって、記録する放送の種別を１２セグメント放送に決定する（ステップＳ８０７）。また、ステップＳ８０６においてハイライトシーンではない場合（ステップＳ８０６：Ｎｏ）、制御部４０３によって、記録する放送の種別を１セグメント放送に決定する（ステップＳ８０８）。そして、ステップＳ８０７またはステップＳ８０８において決定された放送の種別に変更して記録媒体４０８に区間を記録する（ステップＳ８０９）。
【００８３】
つぎに、放送終了か否かを判断して（ステップＳ８１０）、ステップＳ８１０において放送終了の場合（ステップＳ８１０：Ｙｅｓ）、そのまま一連の処理を終了する。一方、ステップＳ８１０において放送終了ではない場合（ステップＳ８１０：Ｎｏ）、ステップＳ８０６に戻り、以降の処理を繰り返しおこなう。
【００８４】
なお、図８のフローチャートにおいては、ステップＳ８０２において、ステップＳ８０１において選択した番組のサイマル放送を受信するとしているが、これに限るものではない。具体的には、たとえば、一時的に記録媒体４０８に記録した番組を取得してもよい。したがって、たとえば、タイムシフト機能を利用している間も図８に示した処理をおこなうことができる。
【００８５】
このように、たとえば、ＰｉｎＰ機能や、裏番組を録画する機能をおこなうために、複数のチューナーを備えるデジタル放送記録装置７００の場合、レート変換部４０７を備えていなくても、ハイライトシーン区間６１２以外を１セグメント放送によって記録することで、放送の種別を変更して記録したデータ（図６に示したビットレートを可変して記録したデータ６１０と同等）は、すべて１２セグメント放送で記録したデータ（図６に示したすべて高レートで記録したデータ６０１と同等）よりも、記録媒体４０８に空き容量６１３が残り、多くの番組を記録することができる。さらに、ハイライトシーン区間６１２に関しては、１２セグメント放送によって記録することができるため、ハイライトシーン区間６１２において映像や音声の乱れがなく、高品質の番組を視聴することができる。
【００８６】
上述したように、実施例２のデジタル放送記録装置７００によれば、受信部１０１によって、異なるビットレートで放送される同一内容のコンテンツをそれぞれ受信し、決定部１０６によって、コンテンツの任意の区間ごとの視聴に対する重要度に応じて、区間ごとに、異なるビットレートで放送されるコンテンツのうちのいずれかのビットレートで放送されるコンテンツを記録するかを決定し、記録制御部１０７によって、決定されたビットレートで放送されるコンテンツに可変して各区間を記録媒体１０２に記録することができる。したがって、ビットレートを変換する機能を持たない装置において、１つの番組内でも、重要度に応じて異なるビットレートで放送されるコンテンツのいずれかの放送に変更して記録することができる。これによって、利用者は、ビットレートを変換する機能を新たに備えなくても、限られた容量の記録媒体１０２に記録する場合、重要度に応じて異なるビットレートで放送される同一内容のコンテンツのいずれかの放送に変更してコンテンツを記録することで、記録媒体１０２の容量を効率的に利用することができる。
【００８７】
また、実施例２のデジタル放送記録装置７００によれば、サイマル放送の場合、検出部１０５によって検出された検出結果に基づいて、決定部１０６によって、区間ごとに１２セグメント放送もしくは１セグメント放送のいずれかの放送で記録するかを決定し、記録制御部１０７によって、決定された放送の種別を可変して各区間を記録媒体１０２に記録することができる。したがって、ビットレートを変換する機能を持たない装置において、１つの番組内でも、重要度に応じて１２セグメント放送または１セグメント放送のいずれかの放送に変更して記録することができる。これによって、利用者は、ビットレートを変換する機能を新たに備えなくても、限られた容量の記録媒体１０２に記録する場合、重要度に応じて１２セグメント放送または１セグメント放送のいずれかの放送に変更して番組を記録することで、記録媒体１０２の容量を効率的に利用することができる。
【００８８】
また、実施例２のデジタル放送記録装置７００によれば、サイマル放送の場合、検出部１０５によって、ハイライトシーンであると検出された区間を、決定部１０６によって、１２セグメント放送で記録すると決定することができる。したがって、ビットレートを変換する機能を持たない装置において、１つの番組内でも、ハイライトシーンのみを１２セグメント放送の映像で記録することができる。これによって、利用者は、ビットレートを変換する機能を新たに備えなくても、記録媒体１０２の容量を効率的に利用しながら、ハイライトシーンの映像を鮮明な映像で視聴することができる。
【００８９】
また、実施例２のデジタル放送記録装置７００によれば、サイマル放送の場合、取得部１０３によって、コンテンツの各区間ごとの視聴に対する重要度の情報を取得し、決定部１０６によって、取得された重要度の情報に応じて区間ごとに１２セグメント放送もしくは１セグメント放送のいずれかの放送で記録するかを決定し、記録制御部１０７によって、コンテンツの各区間を、決定部１０６によって決定された放送の種別に変更して記録媒体１０２に記録することができる。したがって、コンテンツを配信する配信先からのハイライトシーンに関する情報に基づいて、コンテンツを各区間に分割し、１２セグメント放送または１セグメント放送のいずれかの放送に変更して記録することができる。これによって、利用者は、記録媒体１０２の容量を効率的に利用しながら、ハイライトシーンの映像を鮮明な映像で視聴することができる。
【００９０】
以上説明したように、本発明の記録装置、記録制御方法、記録制御プログラム、および記録媒体によれば、実施例２のデジタル放送記録装置７００において、チューナーａ７０１およびチューナーｂ７０２によってサイマル放送を受信した場合、ハイライトシーン検出部４０６によって検出されたハイライトシーンに応じて、制御部４０３によって１２セグメント放送または１セグメント放送のいずれかの放送を記録するか決定する。そして、レート変換部４０７によって、決定された放送の種別で記録媒体４０８に記録することができる。これによって、利用者は、限られた容量の記録媒体４０８に記録する場合、重要度に応じて１２セグメント放送または１セグメント放送のいずれかに変更して番組の各シーンを記録することで、情報の質を落とすことなく、記録媒体４０８の容量を効率的に利用することができる。また、たとえば、レート変換部４０７を備えていない装置においても、複数のチューナーを備えていれば、実施例１のデジタル放送記録装置３００と同様の効果を得ることができる。
【００９１】
また、本発明においては、１つの番組内においても、後から繰り返し視聴するハイライトシーンに関しては品質のよい映像を記録しておくことができる。さらに、番組内の視聴に対する重要度の低い区間に関しては、記録容量の使用率を減少することできる。したがって、記録容量を節約しながら、重要な情報を落とさず、番組を記録することができる。
【００９２】
なお、本実施の形態で説明した記録制御方法は、あらかじめ用意されたプログラムをパーソナル・コンピュータやワークステーションなどのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【図面の簡単な説明】
【００９３】
【図１】本実施の形態にかかる記録装置の機能的構成を示すブロック図である。
【図２】本実施の形態にかかる記録装置の記録制御処理手順を示すフローチャートである。
【図３】実施例１にかかるデジタル放送記録装置のハードウェア構成を示すブロック図である。
【図４】実施例１にかかるデジタル放送記録装置の機能的構成の一例について示した説明図である。
【図５】実施例１にかかるデジタル放送記録装置の処理の一例を示すフローチャートである。
【図６】ビットレートを変換して記録媒体に記録する処理の内容の一例について示した説明図である。
【図７】実施例２にかかるデジタル放送記録装置の機能的構成の他の一例について示した説明図である。
【図８】実施例２にかかるデジタル放送記録装置の処理の他の一例を示すフローチャートである。
【符号の説明】
【００９４】
１００  記録装置
１０１  受信部
１０２  記録媒体
１０３  取得部
１０４  分割部
１０５  検出部
１０６  決定部
１０７  記録制御部
【図１】
2008167143.tif 000003
【図２】
2008167143.tif 000004
【図３】
2008167143.tif 000005
【図４】
2008167143.tif 000006
【図５】
2008167143.tif 000007
【図６】
2008167143.tif 000008
【図７】
2008167143.tif 000009
【図８】
2008167143.tif 000010